(57)【要約】【課題】ボディの開口部を閉塞する蓋体の変形を簡単な構成で抑制することで、巻き取り駆動機構の回転性能を維持し、各部の耐久性の低下を防止した魚釣用スピニングリールを提供する。【解決手段】本発明の魚釣用スピニングリールは、巻き取り駆動機構５０を収容するボディ１Ｂと、このボディ１Ｂの開口部を閉塞する蓋体１Ｄとを備えたリール本体１Ａと、リール本体に設けられたハンドル軸の回転操作で回転駆動されるロータと、釣糸が巻回されるスプールと、ロータの釣糸巻き取り時における逆回転を防止し、切換操作部の回動動作によって作動する逆転防止装置２０と、を有する。そして、ボディ１Ｂの開口部を閉塞した状態の蓋体１Ｄの変形を、逆転防止装置２０の切換操作部３０の軸部３１で規制したことを特徴とする。【選択図】  図６
2019110772.tif 000002
【特許請求の範囲】
【請求項１】
巻き取り駆動機構を収容するボディと、このボディの開口部を閉塞する蓋体とを備えたリール本体と、
前記リール本体に回転可能に設けられ、前記リール本体に設けられたハンドル軸の回転操作で回転駆動されるロータと、
前記リール本体に前後動可能に支持され、釣糸が巻回されるスプールと、
前記ロータの釣糸巻き取り時における逆回転を防止し、切換操作部の回動動作によって作動する逆転防止装置と、
を有する魚釣用スピニングリールにおいて、
前記ボディの開口部を閉塞した状態の前記蓋体の変形を、前記逆転防止装置の切換操作部の軸部で規制したことを特徴とする魚釣用スピニングリール。
【請求項２】
前記ボディの前部に近接する蓋体に前記切換操作部の支持部を形成し、
前記支持部に前記切換操作部の軸部が係合することで前記蓋体を規制支持したことを特徴とする請求項１に記載の魚釣用スピニングリール。
【請求項３】
前記蓋体の支持部はフランジ部で形成され、前記切換操作部の軸部が前記フランジ部に貫通支持されていることを特徴とする請求項２に記載の魚釣用スピニングリール。
【請求項４】
前記切換操作部の軸部による蓋板の規制支持は、前記ハンドル軸の軸芯より前方又は前方且つ下方の領域で行われることを特徴とする請求項１から３のいずれか１項に記載の魚釣用スピニングリール。
【請求項５】
前記切換操作部はレバー形態であり、逆転防止状態（ＯＮ状態）では前記リール本体の側面に沿うように倒伏し、逆転可能状態（ＯＦＦ状態）では、前記リール本体の側面から起立した状態に夫々切換保持されることを特徴とする請求項１から４のいずれか１項に記載の魚釣用スピニングリール。
【発明の詳細な説明】
【技術分野】
【０００１】
本発明は、魚釣用スピニングリールに関する。
【背景技術】
【０００２】
魚釣用スピニングリールは、ロータを駆動回転する巻き取り駆動機構、及び、ハンドルの回転操作を前後往復動に変換するスプール往復動機構を収容する筐体として機能するボディと、このボディの開口部を閉塞し、駆動部の一部を支持する蓋体（ボディカバー）と、を備えたリール本体を有している。前記リール本体には、釣糸案内部を備え前記巻き取り駆動機構によって回転駆動される前記ロータが回転可能に支持されるとともに、釣糸が巻回されるスプールが前記スプール往復動機構によって前後動できるように支持されている。前記巻き取り駆動機構は、ロータを一体回転するピニオンギアと、このピニオンギアに噛合し、ハンドルの駆動軸（ハンドル軸）に設けられたドライブギアとを備えており、ハンドルの回転操作でピニオンギアを介して前記釣糸案内部を有するロータが回転駆動され、前記スプールに釣糸が巻回される。
【０００３】
また、前記リール本体内には、巻き取り操作時やキャスティング操作等の実用時に、前記ロータが釣糸繰り出し方向に逆回転してトラブルが発生しないように、逆転防止装置が設けられている。通常、この逆転防止装置は、ロータの逆回転を防止する状態となっているが、例えば、キャスティング操作時における仕掛けの竿先から垂らし長さ調節等が容易にできるように、ロータを逆回転可能状態に切り換えることができるよう切換操作部（レバー）を備えている。
【先行技術文献】
【特許文献】
【０００４】
【特許文献１】特開平９−８４５００号
【発明の概要】
【発明が解決しようとする課題】
【０００５】
上記したようなスピニングリールは、実釣時のハンドルの巻き取り操作時に高負荷が作用すると、ハンドル軸、これを回転可能に支持する軸受を介して、前記蓋体をこじるような力が作用する。前記蓋体は、ボディの開口部を閉塞して、複数本のネジ部材で固定されているため、蓋体をこじるような力が作用したり、噛合部に作用するスラスト力等によって、ボディに対して蓋体が離間する方向に僅かながら変形しようとする力（浮き上がり現象）が生じる。そして、この浮き上がり現象の影響によって、ピニオンギアとドライブギアの噛合部やその軸受等の摩耗を促進してしまい、噛合精度を安定して維持できずに回転性能を低下させてしまう可能性がある。この傾向は、特に蓋体が合成樹脂材で形成されている場合に顕著になってしまう。
【０００６】
本発明は、上記した問題に着目してなされたものであり、高負荷巻き取り操作時において、ボディの開口部を閉塞する蓋体の変形を簡単な構成で抑制することで、巻き取り駆動機構の回転性能を維持し、各部の耐久性の低下を防止した魚釣用スピニングリールを提供することを目的とする。
【課題を解決するための手段】
【０００７】
上記した目的を達成するために、本発明に係る魚釣用スピニングリールは、巻き取り駆動機構を収容するボディと、このボディの開口部を閉塞する蓋体とを備えたリール本体と、前記リール本体に回転可能に設けられ、前記リール本体に設けられたハンドル軸の回転操作で回転駆動されるロータと、前記リール本体に前後動可能に支持され、釣糸が巻回されるスプールと、前記ロータの釣糸巻き取り時における逆回転を防止し、切換操作部の回動動作によって作動する逆転防止装置と、を有しており、前記ボディの開口部を閉塞した状態の前記蓋体の変形を、前記逆転防止装置の切換操作部の軸部で規制したことを特徴とする。
【０００８】
上記した構成の魚釣用スピニングリールでは、逆転防止装置を作動させる切換操作部がボディを閉塞する蓋体部分に設けられており、切換操作部を作動するように支持する軸部を利用して、蓋体に作用するこじる力（蓋体をボディから離間させようとする力）を押さえ付けるようにしている。このため、蓋体の変形を防止するための特別な構造を用いることなく、逆転防止装置の切換操作部を利用するだけの簡易な構成で効果的に蓋体の変形を防止することができ、巻き取り駆動機構の回転性能が低下や各部の耐久性の低下が防止できる。
【０００９】
なお、上記した構成において、切換操作部は、実際に操作時に回動するように軸部によって蓋体に保持されていれば良く、レバー形態にしても良いし、ダイヤル形態にする等、適宜変形することが可能である。また、ＯＮ状態／ＯＦＦ状態の切り換えについては、それぞれの位置で振り分け保持されることが好ましい。
【発明の効果】
【００１０】
本発明によれば、高負荷巻き取り操作時において、ボディの開口部を閉塞する蓋体の変形を簡単な構成で抑制することができ、巻き取り駆動機構の回転性能を維持し、各部の耐久性の低下を防止した魚釣用スピニングリールが得られる。
【図面の簡単な説明】
【００１１】
【図１】本発明の一実施形態に係る魚釣用スピニングリールの斜視図。
【図２】図１に示す魚釣用スピニングリールを側面から見た図であり、要部を切り欠いた部分断面図。
【図３】図２の要部拡大図。
【図４】図３のＡ−Ａ線に沿った断面図。
【図５】図３のＢ−Ｂ線に沿った断面図。
【図６】逆転防止装置及び切換操作部の構成を示す要部断面図。
【図７】図３のＣ−Ｃ線に沿った断面図。
【発明を実施するための形態】
【００１２】
以下、図１から図７を参照して、本発明に係る魚釣用スピニングリールの一実施形態について具体的に説明する。
【００１３】
本実施形態に係る魚釣用スピニングリール（以下、リールと称する）１のリール本体１Ａには、釣竿に装着される先端に竿装着部２Ａを形成したリール脚２が一体形成されており、その前方には、回転可能に支持されたロータ３と、ロータ３の回転運動と同期して前後動可能に支持されたスプール５とが配設されている。
【００１４】
前記リール本体１Ａは、後述する巻き取り駆動機構５０を収容するボディ１Ｂと、このボディ１Ｂの開口部１Ｃを閉塞する薄板状の蓋体１Ｄを備えている。また、前記ロータ３は、スプール５の周囲を回転する一対の腕部３ａを備えており、各腕部３ａの夫々の前端部には、ベール３ｂの基端部を取り付けたベール支持部材３ｃが釣糸巻き取り位置と釣糸放出位置との間で回動自在に支持されている。この場合、ベール３ｂの一方の基端部は、ベール支持部材３ｃに一体的に設けられた釣糸案内部（ラインローラ）３ｄに取り付けられている。
【００１５】
本実施形態のロータ３は、ロータ３の後端側がリール本体１Ａの前端側の円筒収容部１Ｅに軸方向で重なるように配設されており、その後端面（底面）３Ａはリール本体１Ａ（円筒収容部１Ｅ）の外面との間で径方向に一定の隙間を生じさせた状態で回転駆動するようになっている。
【００１６】
図７に示すように、リール本体１Ａ内には、ハンドル軸７が一対の軸受け７ａ，７ｂを介して回転可能に支持されており、その突出端部には、ハンドル７ｃが取り付けられている。前記ハンドル軸７は、リール本体１Ａの両サイドから突出するように支持されており、ハンドル７ｃは、公知のように、いずれか一方（右側巻き／左側巻き）に装着され、ハンドルを装着しない側のハンドル軸には、キャップ７ｄが取着されるようになっている。なお、図１では、上記したロータ３およびハンドル７ｃについては省略されている。
【００１７】
前記ハンドル軸７には、巻き取り駆動機構５０が係合しており、この巻き取り駆動機構５０は、ハンドル軸７に一体回転可能に装着された駆動ギア８と、この駆動ギア８に噛合するピニオン歯部１０ａを具備してハンドル軸７と直交する方向に延出し且つ内部に軸方向に延在する空洞部が形成された回転駆動軸（駆動部）としてのピニオン１０とを備えている。
【００１８】
前記ピニオン１０は、ピニオン歯部１０ａの前側と後側とがそれぞれ、リール本体１Ａ（ボディ１Ｂ）の支持部に嵌合支持された一対の軸受１２ａ，１２ｂにより、リール本体１Ａ内に回転可能に支持されている。また、ピニオン１０はスプール５側に向けて延出しており、ピニオン１０の先端部にはロータ３がロータナットを介して一体回転可能に取り付けられている。
【００１９】
前記ピニオン歯部１０ａの前側に配置した軸受１２ａの前方側のピニオン１０上には、逆転防止装置２０を構成する一方向クラッチ２１が取り付けられており、リール本体１Ａの外部に設けられた切換操作部３０を回動操作することで、ハンドル（ロータ３）の釣糸繰出し方向の逆回転を防止するようになっている。
すなわち、切換操作部３０を回動操作することで、ロータ３を逆転防止状態（逆転防止装置のＯＮ状態）と、逆回転可能状態（逆転防止装置のＯＦＦ状態）の切り換えができるように構成されている。
【００２０】
前記ピニオン１０の内部に形成された空洞部には、ハンドル軸７と直交する方向に延出し、先端側にスプール５を装着したスプール軸１５が軸方向に移動可能に挿通されている。前記スプール軸１５は、ピニオン１０に連結されるギアトレインを介して駆動されるスプール往復動装置４０によって前後に往復動される。
【００２１】
前記スプール往復動装置４０は、前記スプール軸１５と平行となるようにリール本体内に回転可能に支持され、外周面に螺旋溝４１ａが形成された螺軸４１と、前記螺旋溝４１ａに係合する係合ピン４３ａを保持し、前記スプール軸１５の後端にビス４３を介して固定された摺動子（スライダ）４４と、摺動子４４を前後方向に摺動するようにガイドするガイド軸４５とを備えている（図７では、摺動子４４の位置が図３の断面線Ｃ−Ｃの位置に前方側に移動したものとして示されている）。また、スプール往復動装置４０は、図４に示すように、前記駆動ギア８によって回転駆動されるピニオン１０の歯部１０ａと噛合する動力伝達ギア（ギアトレイン）４７を備えている。本実施形態の動力伝達ギア４７は、二段ギアとして構成されており、ピニオンの歯部１０ａと噛合する大径ギア４７ａと、大径ギアに併設される小径ギア４７ｂとを備えており、この小径ギア４７ｂが前記螺軸４１の端部に固定された入力ギア４１ｂに噛合することで、ハンドル軸７の回転駆動が減速されて前記螺軸４１に伝達される。
【００２２】
上記した構成により、ハンドル７ｃを巻き取り操作すると、巻き取り駆動機構５０を構成する駆動ギア８及びピニオン１０を介してロータ３が回転駆動される共に、駆動ギア８、ピニオン１０、動力伝達ギア（二段ギア）４７、入力ギア４１ｂを介して螺軸４１が減速して回転駆動され、摺動子４４に固定されたスプール軸１５（スプール５）が前後方向に往復動される。したがって、釣糸は、回転駆動されるロータ３の釣糸案内部３ｄを介してスプール５に均等に巻回されるようになる。
【００２３】
上記した巻き取り駆動機構５０及びスプール往復動装置４０は、リール本体１Ａを構成するボディ１Ｂ内に収容され、その状態でボディ１Ｂの開口部１Ｃを閉塞するように蓋体１Ｄを被せ、複数のビス１ｆを螺入することで蓋体１Ｄはボディ１Ｂに固定される。この蓋体１Ｄには、実釣時において、ハンドル７ｃの巻き取り操作時に高負荷が作用すると、ハンドル軸７、これを回転可能に支持する軸受７ａ，７ｂを介して、蓋体１Ｄをこじるような力が作用する。すなわち、ボディに取着された蓋体１Ｄには、こじるような力が作用したり、ギア同士の噛合部に作用するスラスト力等によって、ボディ１Ｂに対して蓋体１Ｄを離間させようとする力（蓋体を変形させようとする力であり、蓋体の浮き上がり現象）が作用する。そして、この浮き上がり現象の影響によって、ピニオンギアとドライブギアの噛合部や、軸受１２ａ，１２ｂ等の摩耗を促進してしまい、噛合精度を安定して維持できずに回転性能を低下させてしまう可能性がある。
このような現象については、以下に詳述する逆転防止装置２０の切換操作部３０の配設態様、特に、切換操作部３０を回動可能に支持する軸部３１によって効果的に防止するようにしている。
【００２４】
以下、逆転防止装置２０（一方向クラッチ２１）、及び、これを作動させる切換操作部３０の構成について説明する。
図３に示すように、前記一方向クラッチ２１は、ピニオン１０に対して回り止め嵌合された内輪２２と、内輪２２の外側で複数の転がり部材２６を周方向に亘って保持する保持器２３と、保持器２３の外側に配された外輪２５とを有している。前記外輪２５の内周面には、公知のように、保持器２３によって保持された複数の転がり部材２６がフリーに回転できるフリー回転領域と、複数の転がり部材２６の回転を阻止する楔領域とが形成されており、各転がり部材２６は、保持器２３に設けられたバネ部材（図示せず）によって楔領域に付勢されている。
【００２５】
このような構成の一方向クラッチ２１において、ピニオン１０と共に内輪２２が正回転（ロータ３が釣糸巻取り方向に回転）すると、保持器２３に保持される転がり部材２６が外輪２５のフリー回転領域に位置され、そのため、内輪２２の回転力が外輪２５に伝達されず（外輪２５によって阻止されず）、したがって、ピニオン１０とともにロータ３が支障なく回転する。これに対して、ピニオン１０と共に内輪２２が逆回転（ロータ３が釣糸繰出し方向に回転）しようとすると、保持器２３に保持される転がり部材２６がバネ部材によって外輪２５の楔領域に位置するため、内輪２２の回転力が外輪２５に伝達され、これがストッパとなって、ピニオン１０及びロータ３の逆回転が阻止される（一方向クラッチの逆転防止状態；ＯＮ状態）。
【００２６】
前記逆転防止装置を構成する一方向クラッチ２１は、切換操作部３０の回動操作によって、上記した逆転防止状態から逆転可能状態（ＯＦＦ状態）に切り換えできるようになっている。具体的には、切換操作部３０は、リール本体１Ａ内でスプール軸１５と略平行に延びる軸部３１を有しており、この軸部３１の先端突部３１ａは保持器２３の径方向に延びる延出部２３ａの係合孔２３ｂに係合して連結されている（図５、図６参照）。また、軸部３１の基端部はビス３３によって切換操作部３０に固定されており、切換操作部３０を回動操作することにより、軸部３１を介して保持器２３を周方向に回動させることが可能となっている。この場合、軸部３１には、リール本体１Ａとの間で振り分けバネ３６が取り付けられており、保持器２３の回動位置を２か所（ＯＮ状態とＯＦＦ状態）で振り分け保持するように構成されている。
【００２７】
すなわち、切換操作部３０を回動して、保持器２３の回動位置がＯＮ状態（図４Ｐ１の位置）となるように振り分け保持されると、転がり部材２６は、上記したように、内輪２２（ピニオン）の正回転を許容するとともに逆回転を阻止する状態に保持される。また、切換操作部３０を回動して、保持器２３の回動位置がＯＦＦ状態（図４のＰ２の位置）となるように振り分け保持されると、転がり部材２６は、バネ部材の付勢力に抗して外輪２５のフリー回転領域に強制的に位置し、内輪２２（ピニオン）の正回転及び逆回転を許容する状態に保持される。このように、切換操作部３０を回動操作することで、ロータ３の正回転を許容して逆回転を防止する位置と、ロータ３の正逆回転を許容する位置との間で選択的に切り換え操作できるようになっている。
【００２８】
本実施形態の切換操作部３０は、レバー形態で構成されており、リール本体１Ａ（蓋体１Ｄ）の側面の輪郭内で且つ前記ハンドル軸７に対して前記竿装着部２と反対側の領域に回動可能に配設されている。ここで、リール本体１Ａの側面の輪郭とは、図２及び図３の点線Ｅで示すように、リール本体１Ａ（蓋体１Ｄ）の外形状を規定するエッジを意味しており、本実施形態の切換操作部３０は、このエッジＥの領域内に配設され、かつ、その領域から突出しない（露出しない）ように配設されている。
【００２９】
従来の魚釣用スピニングリールにおける逆転防止装置を作動させる切換操作部は、本体１Ａ（蓋体１Ｄ）の輪郭から突出する（外側にはみ出る）ように配設されていたため、実釣時に釣糸が絡みやすく、釣り場移動時や搬送中に他物が接触して破損などが生じる可能性があったが、本実施形態のように、リール本体１Ａ（蓋体１Ｄ）の輪郭内に配設し、ハンドル軸７に対して前記竿装着部２と反対側の領域に回動可能に配設したことで、外側にはみ出ることはなく、糸絡みや破損などを効果的に防止することが可能となる。
【００３０】
そして、ボディ１Ｂに取着される蓋体１Ｄは、図６に示すように、上記した切換操作部３０の軸部３１によって浮き上がりが規制された状態となっている。この場合、蓋体１Ｄの規制とは、上記したように、蓋体１Ｄにこじるような力が作用したり、ギア同士の噛合部に作用するスラスト力等によって、ボディ１Ｂに対して蓋体１Ｄを矢印Ｄ１方向（図５）に離間させようとする力（蓋体を変形させようとする力）が作用しても、その浮き上がりを、切換操作部３０の軸部３１で抑制する（押え付ける）ことを意味する。すなわち、蓋体１Ｄに、切換操作部３０の支持部を形成しておき、この部分に切換部材３０の軸部３１を係合させることにより、蓋体１Ｄの浮き上がりを規制するようにしている。
【００３１】
本実施形態では、蓋体１Ｄの前側に、軸部３１の支持部となるフランジ１Ｄａを形成するとともに、そのフランジ１Ｄａに貫通孔１Ｄｂを形成し、蓋体１Ｄの取着時に、貫通孔１Ｄｂに切換操作部３０の軸部３１を挿通させることで蓋体１Ｄの矢印Ｄ１方向への浮き上がりを規制するようにしている。このため、蓋体１Ｄがこじれるような変形を受けることがなくなり、ピニオンギアとドライブギアの噛合部やその軸受１２ａ，１２ｂ等を摩耗させることなく耐久性を向上し、噛合精度を安定して維持することが可能となる。
【００３２】
しかも、スピニングリールとして通常設けられる逆転防止装置の切換操作部３０を釣糸が引っ掛からない位置に配設するに際して、そのように釣糸が引っ掛からない作用効果を奏する切換操作部３０の軸部３１を利用して蓋体の変形を規制したことから、蓋体の変形を抑制するための部品点数を増やすことがなく、構成が簡易となりコストが高くなることもない。
【００３３】
なお、上記した切換操作部３０の軸部３１は、蓋体１Ｄに切換操作部用の支持部（例えば、本実施形態のようなフランジ、或いは、蓋体に形成された凹状部、蓋体に形成される突片等）を形成し、この支持部に軸部３１を係合（貫通、嵌合または一部接触等）させることによって、蓋体１Ｄの浮き上がりを規制できる構成であれば、切換操作部３０を保持するための支持部の構成、軸部３１の配設態様、具体的な規制方法については限定されることはない。
【００３４】
また、本実施形態では、切換操作部３０を、ハンドル軸７の軸芯よりも前方側（好ましくは本実施形態のように、ハンドル軸の前方側且つ下方側）の領域に配設しているため、蓋体がこじれる力を受けた際に影響を及ぼす巻き取り駆動機構５０の軸受等の部品の近くで規制を行なえるようになり、より効果的に部品の摩耗を防止し、噛合部を精度良く維持することができる。また、そのような位置に配設したことで、一方向クラッチの保持器２３と連結される軸部３１の長さを短くすることができ、これにより連結部分での強度が向上して作動を安定化できるとともに、軽量化することが可能となる。
【００３５】
また、切換操作部３０がロータ側に近い位置にあることから、実釣時や取り扱い時に、ロータ３の径方向の膨出によって指などの他物が切換操作部３０に誤って触れてしまうことがなく、逆転防止装置が誤作動することが防止できる。特に、本実施形態では、切換操作部３０の少なくとも一部を、前記ロータ３の後端面３Ａよりもスプール側に位置するように配設したことで、切換操作部３０の一部がロータ３によって覆われた状態となり、他物が接触等し難くなり、破損や誤作動などを確実に防止することができる。
【００３６】
本実施形態では、回動操作される切換操作部３０をレバー形態としており、その基端側を前記ビス３３によって支持し、リール本体の１Ａの側面（リール本体を閉塞する蓋体１Ｄ）に対して、図４に示すように、起伏するように構成しているため、特許文献１に開示された構成のように、竿装着部の後側で幅方向に回動配設する構成と比較して、一方向クラッチの状態を直ちに把握することが可能となる。この場合、実釣時等において、逆転防止装置をＯＦＦ状態（逆転可能状態）に切り換えておくことは稀であることから、リール本体１Ａ（蓋体１Ｄ）の側面に沿うように倒伏して保持された状態Ｐ１を逆転防止状態（ＯＮ状態）とし、逆転可能状態（ＯＦＦ状態）では、リール本体１Ａ（蓋体１Ｄ）の側面から起立した状態Ｐ２に夫々切り換え保持することが好ましい。
【００３７】
また、前記リール本体１Ａの側面（蓋体１Ｄ）の表面に凹部１ｄを形成しておき、切換操作部３０が倒伏した際、切換操作部が表面からできるだけ突出しないように構成する（切換操作部３０と蓋体１Ｄの表面が略面一状になる）ことが好ましい。このような構成によれば、糸絡みをより効果的に防止できるとともに、他物が引っ掛かることが確実に防止できる。
【００３８】
また、上記したような切換操作部３０を起伏させる構成では、切換操作部３０を倒伏したＯＮ状態で、蓋体１Ｄとの間で空間が生じるように切り換え保持させることが好ましい。例えば、本実施形態では、前記凹部１ｄ内に凸部１ｅを形成しており、切換操作部３０が倒伏した際に、凸部１ｅに当て付いて、回動位置を規制しており、凸部によって空間Ｓが生じるようにしている。
【００３９】
このような構成によれば、切換操作部３０をＯＮ状態からＯＦＦ状態に回動操作する際、空間Ｓにより指を引っ掛け易くなり、操作性の向上が図れる。なお、このような空間Ｓを形成する方法としては、上記以外にも、切換操作部３０の先端側を細径化しても良いし、先端側にテーパ３０ｃを形成しても良い。
【００４０】
以上、本発明の実施形態について説明したが、本発明は、上記した実施形態に限定されることはなく、種々変形することが可能である。上述した実施形態では、回動操作される切換操作部３０は、レバー形態としたが、指で押し付けて回動操作可能なダイヤル式にしても良いし、ダイヤルの一部に指で摘まめるように突起を有する構成にする等、適宜変形することが可能である。また、切換操作部３０の配設位置については適宜変形することが可能であり、その切換操作部３０の軸部３１によって、蓋体１Ｄの浮き上がりが規制されていれば、その構成については適宜変形することが可能である。また、本発明は、逆転防止装置を作動させる切換操作部３０の軸部を利用して蓋体の浮き上がりを規制することに特徴があり、それ以外の構成については、図に示した実施形態の構成に限定されることはない。
【符号の説明】
【００４１】
１  魚釣用スピニングリール
１Ａ  リール本体
１Ｂ  ボディ
１Ｄ  蓋体
２Ａ  竿装着部
３  ロータ
５  スプール
７  ハンドル軸
１０  ピニオン
２０  逆転防止装置
２１  一方向クラッチ
３０  切換操作部
３１  軸部
５０  巻き取り駆動機構
【図１】
2019110772.tif 000003
【図２】
2019110772.tif 000004
【図３】
2019110772.tif 000005
【図４】
2019110772.tif 000006
【図５】
2019110772.tif 000007
【図６】
2019110772.tif 000008
【図７】
2019110772.tif 000009